(57)【特許請求の範囲】
【請求項１】
骨組とシートを少なくとも具備してなるビニールハウスであって、
前記骨組は、
前記ビニールハウスの側面を構成する、側面部と、
前記ビニールハウスの側面のうち、前記骨組の妻面との接触箇所を除く位置から、前記ビニールハウスの幅方向に伸びる、中間控え部と、を少なくとも有し、
前記中間控え部が、門型材を含んで構成してあることを特徴とする、
ビニールハウス。
【請求項２】
前記骨組は、前記ビニールハウスの側面のうち、前記骨組の妻面との接触箇所から、前記ビニールハウスの幅方向に伸びる、端控え部を含み、
前記端控え部が、門型材を含んで構成してあることを特徴とする、
請求項１に記載のビニールハウス。
【請求項３】
前記側面部が、門型材を含んで構成してあることを特徴とする、
請求項１または２に記載のビニールハウス。
【請求項４】
前記中間控え部が、
前記門型材からなる上段部、および当該上段部を構成する門型材の垂直材の下部を切断してなる下段部と、でもって、上下に分離可能に構成してあることを特徴とする、
請求項１乃至３のうち何れか１項に記載のビニールハウス。
【請求項５】
前記端控え部が、
前記門型材からなる上段部、および当該上段部を構成する門型材の垂直材の下部を切断してなる下段部と、でもって、上下に分離可能に構成してあることを特徴とする、
請求項２または３に記載のビニールハウス。
【請求項６】
前記側面部が、
前記門型材からなる上段部、および当該上段部を構成する門型材の垂直材の下部を切断してなる下段部と、でもって、上下に分離可能に構成してあることを特徴とする、
請求項３に記載のビニールハウス。
【請求項７】
前記中間控え部を構成する下段部が、前記ビニールハウス内に設置する高設栽培用の栽培ベッドを載置する架台として機能することを特徴とする、
請求項４に記載のビニールハウス。
【請求項８】
前記門型材が、仮設構造物に用いる建枠であることを特徴とする、
請求項１乃至７のうち何れか１項に記載のビニールハウス。
【発明の詳細な説明】
【技術分野】
【０００１】
本発明は、従来よりも利便性に優れるビニールハウスに関する。
【背景技術】
【０００２】
農業用等に用いられるビニールハウスは、鋼製や樹脂製からなる単菅部材を組み立ててなる骨組と、骨組に沿って敷設したシートによって構成する。
この骨組用の単菅部材は、その殆どが使い捨てを想定した専用品であり、必然的にコストが高いものとなっている。
加えて、従来のビニールハウスは、骨組の構築に際して、危険な高所作業を行うことも多く、熟練した作業員を要する作業であることも、コスト削減の障害の一つとなっている。
また、近年では、大雨、台風、積雪などの異常気象によって、ビニールハウスの破損が多発しており、より強度の高いビニールハウスの開発が望まれている。
【０００３】
これらの農業用ビニールハウスの従来技術として、以下の特許文献に記載の技術が知られている。
＜１＞骨組用部材の再利用性の観点
特許文献１には、ビニールハウスの肩部にジョイント部材を設けることで、部材の汎用性の低下に繋がる円形パイプの曲げ加工を省き、骨組部材の再利用性を高める技術が開示されている。
＜２＞強風対策の観点
特許文献２には、強風に対して倒壊し難い構造として、ビニールハウスの妻面を垂直方向から傾斜させることで、ビニールハウスを新幹線で採用するようないわゆるロングノーズ構造とすることにより、空力抵抗を低減させる技術が開示されている。
＜３＞降雨、降雪対策の観点
特許文献３には、ハウス側部に軒用アーチ材を設けて軒を形成することで、換気用開口部からハウス内への降雨の吹き込みを軽減させる技術が開示されている。
【先行技術文献】
【特許文献】
【０００４】
【特許文献１】特許第６５９６０３４号公報
【特許文献２】実用新案登録第３２００４３９号公報
【特許文献３】特許第６６９２５５５号公報
【発明の概要】
【発明が解決しようとする課題】
【０００５】
しかし、従来のビニールハウスには、依然として、コスト面、強度面、安全面等の種々の観点において改善の余地が残されていた。
【０００６】
よって、本発明は、これらの課題のうち少なくとも何れか１つの課題を解決することで、より利便性に優れるビニールハウスを提供することを目的の一つとするものである。
【課題を解決するための手段】
【０００７】
上記課題を解決すべくなされた本願の第１発明は、骨組とシートを少なくとも具備してなるビニールハウスであって、前記骨組は、前記ビニールハウスの側面を構成する、側面部と、前記ビニールハウスの側面のうち、前記骨組の妻面との接触箇所を除く位置から、前記ビニールハウスの幅方向に伸びる、中間控え部と、を少なくとも有し、前記中間控え部が、門型材を含んで構成してあることを特徴とする。
また、本願の第２発明は、前記第１発明において、前記骨組は、前記ビニールハウスの側面のうち、前記骨組の妻面との接触箇所から、前記ビニールハウスの幅方向に伸びる、端控え部を含み、前記端控え部が、門型材を含んで構成してあることを特徴とする。
また、本願の第３発明は、前記第１発明または第２発明において、前記側面部が、門型材を含んで構成してあることを特徴とする。
また、本願の第４発明は、前記第１発明乃至第３発明のうち何れかの発明において、前記中間控え部が、前記門型材からなる上段部、および当該上段部を構成する門型材の垂直材の下部を切断してなる下段部と、でもって、上下に分離可能に構成してあることを特徴とする。
また、本願の第５発明は、前記第２発明または第３発明において、前記端控え部が、前記門型材からなる上段部、および当該上段部を構成する門型材の垂直材の下部を切断してなる下段部と、でもって、上下に分離可能に構成してあることを特徴とする。
また、本願の第６発明は、前記第３発明において、前記側面部が、前記門型材からなる上段部、および当該上段部を構成する門型材の垂直材の下部を切断してなる下段部と、でもって、上下に分離可能に構成してあることを特徴とする。
また、本願の第７発明は、前記第４発明において、前記中間控え部を構成する下段部が、前記ビニールハウス内に設置する高設栽培用の栽培ベッドを載置する架台として機能することを特徴とする。
また、本願の第８発明は、前記第１発明乃至第７発明のうち何れか１つの発明において、前記門型材が、仮設構造物に用いる建枠であることを特徴とする。
【発明の効果】
【０００８】
本発明によれば、以下に記載する効果のうち、少なくとも何れか１つの効果を奏する。
（１）ビニールハウスを構成する骨組に門型材を用いることにより、一本ずつ単菅を組み立てていく作業と比較して、構築作業を高速化できる。
（２）門型材を用いて側面部や控え部を構築することにより、骨組全体の剛性が向上する。
（３）控え部を、上段部と下段部とに分離することで、骨組の構築作業時に、先行して下段部を設置でき、この下段部が、上段部やその他の骨組用部材の設置の目印となるため、構築作業の効率性が向上する。
（４）下段部が高設栽培用の栽培ベッドの架台として機能することで、ビニールハウス内に用意する架台の数を減らすことができる。
（５）培地を収容した栽培ベッドを下段部に載置することにより、栽培ベッドが錘として働き、設置面に対するビニールハウスの定着性が向上する。
（６）建設業において使用されている仮設構造物用の建枠を流用する事で、専用品を用意することに起因するコストの増加を抑えることができる。
（７）建設業において使用されている仮設構造物用の建枠を流用する事で、当該建枠に馴染みのある一般的な鳶工による早期な構築作業を実現でき、専門性の高い熟練作業員を手配する必要が無くなる。
（８）建設業において使用されている仮設構造物用の建枠を流用する事で、建設分野では常に求められる耐風、耐荷重等の計算に基づいた設計手法を流用でき、ビニールハウスの強度設計に対する根拠が明解となる。
【図面の簡単な説明】
【０００９】
【図１】実施例１に係るビニールハウスの全体構成を示す概略斜視図。
【図２】実施例１に係る門型材の構成を示す概略正面図。
【図３】実施例１に係る門型材の配置態様を示す概略斜視図。
【図４】実施例２に係るビニールハウスの全体構成を示す概略斜視図。
【図５】実施例２に係る二段枠の構成を示す概略正面図。
【図６】実施例２に係る二段枠の配置態様を示す概略斜視図。
【図７】実施例２に係る下段部の兼用状態を示す概略斜視図。
【図８】実施例３に係る二段枠のその他の配置例を示す概略側面図。
【図９】実施例４に係る門型材のその他の配置例を示す概略斜視図。
【図１０】実施例５に係る下段部の変形例を示す概略正面図。
【発明を実施するための形態】
【００１０】
以下、図面を参照しながら、本発明の実施例について説明する。
【実施例１】
【００１１】
＜１＞全体構成（図１）
図１〜３を参照しながら、本発明の第１実施例について説明する。
図１に示すように、本発明に係るビニールハウスＡは、ビニールハウスＡの形状を規定する骨組Ｂと、骨組Ｂに沿って取り付けたシートＣを少なくとも具備して構成する。
本発明は、この骨組Ｂを構成する部材として、門型形状を呈する部材（門型材１０）を含めたことを特徴とする。
なお、骨組Ｂを構成する部材中、タイバー、横架材、根がらみその他の部材など、本発明に係る特徴以外の箇所については、説明の便宜上、図示を省略している。
以下、門型材１０の詳細および配置例について説明する。
【００１２】
＜２＞門型材（図２）
門型材１０は、ビニールハウスＡの骨組Ｂの一部を構成する部材である。
門型材１０は、２本の垂直材１１と、両垂直材１１の上端近傍を繋ぐ水平材１２とを少なくとも有することで、幅長Ｗおよび高さＨを呈する、略門型形状を呈する。
図２では、垂直材１１と水平材１２との隅部に、部材全体の剛性を高めるための補剛材１３を設けているが、本発明において必須の要素ではない。
門型材１０は、ビニールハウスＡの側面部Ｂ１や、ビニールハウスＡの側面部Ｂ１からハウス内部に延びる控え部Ｂ２の骨組Ｂとして用いることができる。
図２に示す構成では、ビニールハウスＡの奥行き方向に向かって、側面部Ｂ１と、控え部Ｂ２と、を交互に構成するように、門型材１０を配置している。
この控え部Ｂ２は、ビニールハウスＡの側面のうち、骨組Ｂの妻面との接触箇所からビニールハウスＡの幅方向に伸びる、端控え部Ｂ２１と、ビニールハウスＡの側面のうち、骨組Ｂの妻面との接触箇所を除く位置からビニールハウスＡの幅方向に伸びる、中間控え部Ｂ２２と、に分かれている。
【００１３】
＜２．１＞垂直材（図２）
垂直材は、ビニールハウスＡの骨組Ｂにおいて支柱に相当する部材である。
垂直材１１の下端には、ベースプレートや、不陸調整用のジャッキベースなどからなるベース２０を取り付けておく。
また、垂直材１１の上端には、ビニールハウスＡの骨組Ｂを構成するためのその他の部材である単菅やジョイントなどを取り付けるための連結ピン３０などを設けることができる。
【００１４】
＜３＞門型材の提供方法（図２）
本発明において、門型材１０は新規に製作した製品であっても、他用途の既存製品を流用したものであってもよい。
特に、本発明に係る門型材１０として好適な既存製品として、仮設足場や仮設支保工などの仮設構造物として使用される建枠が好ましい。
建枠は、鋼管を略門型に溶接したものであり、鳥居型建枠とも呼ばれる。
仮設構造物として使用される建枠には、形状、サイズ、強度などが異なる多様な製品が存在し、その強度計算手法も確立されているため、求められるビニールハウスＡの仕様に応じて、最適な建枠を選択することができるだけでなく、既存製品の流用に伴うコスト削減にもつながる。
また、建枠は、建設業において馴染みのある部材であるため、一般的な鳶工による早期な構築作業を実現できる。
【００１５】
＜４＞側面部への適用（図３）
門型材１０を、骨組Ｂの側面部Ｂ１に適用する際には、門型材１０の幅方向がビニールハウスＡの奥行き方向となるように、門型材１０を配置する。
門型材１０を構成する垂直材１１の上端には、ビニールハウスＡの天井部分を構成するアーチ材が取り付けてある。
なお、側面部Ｂ１を構成する門型材１０は、門型材１０の幅長Ｗと略等長の間隔を空けて配置していけば、門型材１０を構成する各垂直材１１間の離隔距離を一定に保持した態様とすることができる。
その他、側面部Ｂ１を構成する各門型材１０は、図示しないクランプや単菅などを介して適宜連結すればよい。
【００１６】
＜５＞控え部への適用（図３）
門型材１０を、骨組Ｂの控え部Ｂ２に適用する際には、門型材１０の幅方向がビニールハウスＡの幅方向となるように、門型材１０を配置する。
門型材１０の垂直材１１のうち、ハウス外側に位置する垂直材１１は、側面部Ｂ１を構成する骨組Ｂの一部として、ビニールハウスＡの天井を構成する単菅やジョイントが取り付けられる。また、ハウス内側に位置する垂直材１１は、ハウス外側からの強風等による荷重に対して抵抗する控えとして機能する。
控え部Ｂ２を構成する各門型材１０は、図示しないクランプや単菅などを介して適宜連結することもできる。
【実施例２】
【００１７】
次に、図４〜７を参照しながら、本発明の実施例２について説明する。
【００１８】
＜１＞全体構成（図４）
本実施例では、骨組ＢとシートＣからなるビニールハウスＡにおいて、側面部Ｂ１および控え部Ｂ２を構成する骨組Ｂを、互いに上下に連結可能な上段部４０及び下段部５０からなる二段枠Ｄで構成している。
この二段枠Ｄの配置態様は特段限定しないが、本実施例では、二段枠Ｄを、ビニールハウスＡの奥行き方向に向かって、側面部Ｂ１として使用する態様と、控え部Ｂ２として使用する態様とを入れ換えながら交互に配置している。
【００１９】
＜２＞上段部（図５（ａ））
本実施例では、上段部４０として、実施例１で説明した幅Ｗおよび高さＨを呈する門型材１０を用いている。
図５（ａ）では図示しないが、垂直材１１の上端には、ビニールハウスＡの天井部の骨組Ｂを構成するための単菅やジョイントなどを取り付けるための連結ピンなどを設けておいてもよい。
【００２０】
＜３＞下段部（図５（ｂ））
本実施例では、下段部５０として、上段部４０で使用する門型材１０を、下方から所定の長さで切断して高さＨ１とした部材を用いている。
下段部５０を構成する垂直材１１の上端には、前記した上段部４０の垂直材１１の上端を連結するための連結ピン５４などを設けておいてもよい。
また、下段部５０を構成する垂直材１１の下端には、ベースプレートや、不陸調整用のジャッキベースなどからなる、ベース５５を取り付けておいてもよい。
【００２１】
＜３．１＞上段部との連結位置調整機能
なお、この連結ピン５４による連結構造において、下段部５０に対する上段部４０の高さを調整可能に連結する構成としておいてもよい。当該構成によれば、各下段部５０のレベル調整を考慮することなく、単に下段部５０を地面に設置していく単純作業とできる点で有益である。
【００２２】
＜３．２＞下段部の先行設置
本実施例に係る構成では、予め連結してある二段枠Ｄを所定位置に設置してもよいが、下段部５０のみを先行設置する方法がより好適である。
下段部５０を所定位置に設置し、各下段部５０の垂直材１１下端近傍を単菅などで連結して、根がらみに相当する部位を形成しておけば、下段部５０が構造上より安定した状態となり、その後の上段部４０の設置作業を安全かつ迅速に実施することができる。
【００２３】
＜４＞側面部への適用（図６）
二段枠Ｄを、骨組Ｂの側面部Ｂ１に適用する場合の一例について説明する。
下段部５０は、当該下段部５０の幅方向がビニールハウスＡの幅方向となるように所定間隔を空けて配置する。
上段部４０は、上段部４０の幅方向がビニールハウスＡの奥行き方向となるように、かつ、間隔を空けて配置した二つの下段部５０の垂直材５１間に架け渡すように配置する。
垂直材５１間に架け渡すように配置した上段部４０を構成する垂直材１１の上端には、ビニールハウスＡの天井を構成する単菅やジョイントが取り付けられる。
側面部Ｂ１を構成する各門型材１０は、図示しないクランプや単菅などを介して適宜連結すればよい。
【００２４】
＜５＞控え部への適用（図６）
二段枠Ｄを骨組Ｂの控え部Ｂ２に適用する場合、控え部Ｂ２は、前述した側面部Ｂ１への適用に用いた下段部５０のみからなる構成と、側面部Ｂ１への適用で使用されなかった下段部５０にそのまま上段部４０を連結してなる構成とに分かれる。
何れの構成であっても、上段部４０を構成する門型材１０の垂直材１１のうち、ハウス外側に位置する垂直材１１は、側面部Ｂ１を構成する骨組Ｂの一部として、ビニールハウスＡの天井を構成する単菅やジョイントが取り付けられる。
また、ハウス内側に位置する下段部５０や上段部４０の垂直材１１は、ハウス外側からの強風等による荷重に対して抵抗する控えとして機能する。
控え部Ｂ２を構成する各二段枠Ｄは、図示しないクランプや単菅などを介して適宜連結することもできる。
【００２５】
＜６＞下段部における架台の兼用（図７）
控え部Ｂ２として機能する下段部５０は、ビニールハウスＡの内部で高設栽培を行う際に、栽培ベッドＥを載置する架台としても用いることができる。
ビニールハウスＡの完成後、培地を収容した栽培ベッドＥを下段部５０に載置することにより、栽培ベッドＥ、培地、または栽培物などが錘として働き、ビニールハウスＡの設置面に対するビニールハウスＡの定着性が向上する。
【実施例３】
【００２６】
［側面部の変形例］（図８）
次に、図８を参照しながら、本発明の実施例３について説明する。
本実施例では、二段枠Ｄを骨組Ｂの側面部Ｂ１のみを構成するように配置し、二段枠Ｄ同士を、図示しないクランプや単菅などを介して適宜連結して構成している。
【実施例４】
【００２７】
［控え部の変形例］（図９）
次に、図９を参照しながら、本発明の実施例４について説明する。
本実施例では、門型材１０を、当該門型材１０の幅方向がビニールハウスＡの幅方向に向くように、ビニールハウスＡの奥行き方向に向けて所定間隔を空けて配置し、門型材１０同士を図示しないクランプや単菅などを介して適宜連結している。
当該配置形態では、各門型材１０が控え部Ｂ２として機能するとともに、各門型材１０のうちハウス外側に位置する垂直材１１が、側面部Ｂ１を構成する部材の一部として機能している。
【実施例５】
【００２８】
［下段部の変形例］（図１０）
次に、図１０を参照しながら、本発明の実施例５について説明する。
本発明において二段枠Ｄを構成する下段部５０は、実施例２で説明した、門型材を流用する構成に限らず、例えば以下の構成を採用することができる。
【００２９】
［変形例１］Ｈ型形状（図１０（ａ））
２本の垂直材５１の長手方向中間に水平材５２を接続して、略Ｈ型形状を呈する構成とすることができる。
【００３０】
［変形例２］∞型形状（図１０（ｂ））
２本の垂直材５１の上下端間にそれぞれ斜材５３を接続して略∞型形状を呈する構成とすることができる。
【００３１】
［変形例３］垂直材分離型（図１０（ｃ））
２本の垂直材５１を分離した構成とすることができる。なお、垂直材５１の下端にジャッキベースなどを設けておけば、より細かな不陸調整が可能となる。
【符号の説明】
【００３２】
Ａ  ：ビニールハウス
Ｂ  ：骨組
Ｃ  ：シート
Ｂ１：側面部
Ｂ２：控え部
Ｂ２１：端控え部
Ｂ２２：中間控え部
１０：門型材
１１：垂直材
１２：水平材
１３：補剛材
２０：ベース
３０：連結ピン
Ｄ  ：二段枠
４０：上段部
５０：下段部
５１：垂直材
５２：水平材
５３：斜材
５４：連結ピン
５５：ベース
Ｅ  ：栽培ベッド
【要約】
【課題】より利便性に優れるビニールハウスを提供すること。
【解決手段】骨組ＢとシートＣを少なくとも具備してなるビニールハウスＡであって、骨組Ｂの中に門型形状を呈する門型材１０を含めて構成する。門型材１０は骨組Ｂにおける側面部Ｂ１や控え部Ｂ２として機能し、構築作業の高速化や、剛性の向上に寄与する。また、門型材１０として仮設構造物で使用される建枠を用いることで、既成品の流用に伴うコスト削減につながり、構築作業に専門性の高い熟練作業員を要しない。
【選択図】図１【図１】
0006768171.tif 000002
【図２】
0006768171.tif 000003
【図３】
0006768171.tif 000004
【図４】
0006768171.tif 000005
【図５】
0006768171.tif 000006
【図６】
0006768171.tif 000007
【図７】
0006768171.tif 000008
【図８】
0006768171.tif 000009
【図９】
0006768171.tif 000010
【図１０】
0006768171.tif 000011